(57)【要約】【課題】写真プリント費用を情報元が少なくても一部負担することができるとともに、ロゴマーク又はＣＩマークのみのデータを写真の内側に、それ以外のデータからなる情報を写真の外側に付加するもので、プリント時に写真の内側、外側に略平等に付加する【解決手段】    撮影された画像に対して情報を前記画面の内部に挿入する第１のモードと、前記画面の外側に配置する第２のモードがあり、前記画像をプリントする時に前記第１のモードによるプリント枚数と前記第２のモードによるプリント枚数を略同数にプリントするよう制御する情報付加装置及び情報付加方法。【選択図】  図１
2008108013.tif 000002
【特許請求の範囲】
【請求項１】
撮影された画像に対して広告等の情報を前記画像の内部に挿入してプリントする第１のモードと、前記情報を前記画像の外側に配置してプリントする第２のモードとを備え、前記画像のプリント枚数が偶数枚のときは第１のモードと第２のモードとによるプリント枚数を同数とし、前記プリント枚数が奇数枚のときは前記奇数枚に新たに奇数枚を加算して偶数枚として第１及び第２のモードによるプリント枚数を同数とするよう制御する制御手段を備えた情報付加装置。
【請求項２】
撮影された画像に対して広告等の情報を付加するプリントする情報付加方法で、プリント枚数が偶数枚のときは前記画像の内部に挿入してプリントする第１のモードと、前記情報を前記画像の外側に配置してプリントする第２のモードとによるプリント枚数を同数にするステップと、前記画像のプリント枚数が奇数枚のときは前記奇数枚に新たに奇数枚を加算して偶数枚として前記第１及び第２のモードによるプリント枚数を同数とするステップを備えた情報付加方法。
【発明の詳細な説明】
【技術分野】
【０００１】
本発明は、写真を含む画像に例えば広告のような情報を付加する装置及び撮影者乃至は写真を観察する観察者と情報元の双方に利する情報付加方法、例えば広告主等の情報元からの情報を大量に出回る写真を含む画像に付加し、更に、写真のプリント及び画像の処理に関する費用を情報元が少なくとも一部を負担するようにした情報付加装置に関する。
【背景技術】
【０００２】
従来、画面内に広告を埋め込む場合には画面外部の側脇に広告を配置する場合よりプリント料を安くすることが開示されている（特許文献１）。
【０００３】
【特許文献１】特許登録３６３２８３３号
【発明の開示】
【発明が解決しようとする課題】
【０００４】
上述の特許文献１では、画面内に広告を埋め込む場合には画面外部の側脇に広告を配置する場合よりプリント料を安くすることが開示されている。すなわち、写真と切り離しができない広告に対して広告主がプリント代を負担することを開示している。
【０００５】
広告のような情報を写真の中に埋め込むことは情報元からみれば写真と共に情報が残るのでメリットはある。しかしながらプリントされた写真を持つ人、プレゼントされる人等のプリント依頼者にとってはいくら情報が小さくてもその情報がその写真にふさわしいものでない限り欲しないものである。また逆に写真の外部に広告のような情報がある写真は情報部分を切り取られて捨てられては情報元からみれば情報の効果がなく情報元からプリント代を補助する意味が最初に情報を見たとき以外なくなる。
【０００６】
本発明は、このような従来の構成が有していた問題を解決しようとするものであり、撮影者によって撮影された画像に情報が付加される情報付き画像で、前記情報は企業名・団体名又は商標名又は商品名又は愛称などをデザイン文字を用いて図案化したロゴマーク又はＣＩマークである画像データあるいは画像を含むメッセージ等の画像及び文字データとからなる。写真に付加されるロゴマークまたはＣＩマークは知名度の少ない企業の知名度向上になるが、有名企業にとってそれほどメリットは少ない。情報元からみれば、企業のメッセージ、商品などを言葉で訴える方の効果がある大きい。本発明は前記情報がロゴマークやＣＩマークである画像データである場合は、画像の中に前記広告が挿入され、前記情報が企業のロゴマークやＣＩマーク以外の画像を含むメッセージ等の画像及び文字データである場合は、前記広告を前記画像の外に置くようにし、プリントをする場合に情報元とプリント依頼者が平等に満足するできる装置を提供するものである。
【課題を解決するための手段】
【０００７】
本発明の請求項１は、撮影された画像に対して広告等の情報を前記画像の内部に挿入してプリントする第１のモードと、前記情報を前記画像の外側に配置してプリントする第２のモードとを備え、前記画像のプリント枚数が偶数枚のときは第１のモードと第２のモードとによるプリント枚数を同数とし、前記プリント枚数が奇数枚のときは前記奇数枚に新たに奇数枚を加算して偶数枚として第１及び第２のモードによるプリント枚数を同数とするよう制御する制御手段を備えた情報付加装置を提供するものでプリント代を補助する情報元にとっても、プリント代を補助されるプリント依頼者にとってもプリント時に公平な情報付加装置を提供するものである。
【０００８】
本発明の請求項２は、撮影された画像に対して広告等の情報を付加するプリントする情報付加方法で、プリント枚数が偶数枚のときは前記画像の内部に挿入してプリントする第１のモードと、前記情報を前記画像の外側に配置してプリントする第２のモードとによるプリント枚数を同数にするステップと、前記画像のプリント枚数が奇数枚のときは前記奇数枚に新たに奇数枚を加算して偶数枚として前記第１及び第２のモードによるプリント枚数を同数とするステップを備えた情報付加方法を提供するものでプリント代を補助する情報元とっても、プリント代を補助されるプリント依頼者にとってもプリント時に公平な情報付加方法を提供するものである。
【発明の効果】
【０００９】
上述したように本発明によりこのような従来の構成が有していた問題を解決しようとするものであり、写真を含む画像と共に付加する情報が第１及び第２のモードが同数となるため、前記第１のモードである企業ロゴあるいはＣＩマークを画像の中に埋め込む場合は、前記画像領域が大きいためプリント依頼者は満足でき、前記第２のモードある場合は前記情報が企業のロゴマークやＣＩマーク以外の画像を含むメッセージ等の画像及び文字データである場合は前記広告を前記画像の外に置き広告も目立つことになり、情報元にとっても効果があり、付加される情報によりプリント代が一部負担され、プリント依頼者にとっても情報元にとっても効果的なメッセージを写真に付加されるので効果的な情報となる。
【発明を実施するための最良の形態】
【００１０】
図１は、本発明の情報付加装置の概略構成を示す。１は画像サーバー、２は情報サーバー、３は制御装置を示し、４は情報と画像を合成する合成システムを示し、５は合成システム４で合成された画像と情報とをプリントするプリントシステムを示す。
【００１１】
図２は制御装置３の内容を示す情報配置に関するフローチャートである。
情報サーバー２に情報がＳ１で示すようにロゴマーク乃至はＣＩマークであるかを判別し、ロゴマーク乃至はＣＩマークのみであると判断するとＳ２で示すように情報を画面内に、そうでない場合にはＳ３で示すように画面外に配置するように制御し、図１で示すように合成システム４で画像サーバー１からの画像と情報サーバー２からの情報データを合成し、プリントシステム５でプリントを行う。
【００１２】
図３は制御装置３の内容を示すプリントに関するフローチャートであり、まずプリント枚数が偶数枚かどうかを判定する（Ｓ４）。偶数枚ならば情報を画面内に配置するものと画面外に配置するものを同数プリントする（Ｓ５）。また奇数枚ならばプリント枚数を奇数枚、例えば１枚追加して偶数枚とし（Ｓ６）、情報を画面内に配置するものと、画面外に配置するものを同数プリントする（Ｓ７）。
【００１３】
図４で実際にロゴマーク乃至はＣＩマークを画像に埋め込んだ図を示し、図５はロゴマーク乃至はＣＩマーク以外のデータを画像の外に配置した図を示す。  
【００１４】
本発明により、情報がロゴマーク又はＣＩマークである画像データの場合は画像の中に埋め込み、そのような画像データでない場合は画像の外に配置することにより、前記情報が前記画像データのようにコンパクトなデータは画像の中で目立つが煩雑にならなくて顧客、情報元にとって効果のある広告となり、また情報主もプリント依頼者も平等に満足できる。例えばプリント依頼者が２０枚のプリントを依頼時に、第１のモードと第２のモードによるプリントを略同数に行う方法として第１のモードと第２のモードを交互に行うか、１０枚をまとめて第１のモードでプリントし、次に１０枚をまとめてプリントするようにしてもよい。
【図面の簡単な説明】
【００１５】
【図１】本発明に係るブロック図を示す。
【図２】本発明に係る情報配置に関するフローチャートを示す。
【図３】本発明に係るプリントに関するフローチャートを示す。
【符号の説明】
【００１６】
１ …画像サーバー
２ …情報サーバー
３ …制御システム
４ …合成システム
５ …プリントシステム
【図１】
2008108013.tif 000003
【図２】
2008108013.tif 000004
【図３】
2008108013.tif 000005